Podtech/llm-jp-corpus-v4-ja_patent huggingface dataset:
(57)【要約】      （修正有） 【課題】一般的なディスプレイ用ターンテーブルのアイキャッチ効果に加え、より積極的な商品アピール、店舗のイメージ向上に加え商品展示の省スペース化を図るターンテーブルを提供する。【解決手段】ベースプレート１に固定歯車１０及びモーター３を固定した傾斜ブラケット２を設置する。モーターの回転動力を主軸１１を介し円板４に伝え、回転する円板上に固定歯車１０の円周上を回転する中間歯車９を設置し、その回転動力を同円板上に設置した誘導歯車８に伝えることにより、誘導歯車同軸上に固定された傾斜ブロック６及び回転テーブル５は円板４の回転時に於いても常時水平を保持しつつ円板上を回転する。この時円板４の回転軌道軸が傾斜ブラケットにより４５度傾斜していることによって回転テーブル上の展示物は前後、左右、上下の３Ｄ動作をするディスプレイターンテーブルとなる。【選択図】図１
0003155852.tif 000002
【実用新案登録請求の範囲】
【請求項１】
ディスプレイ用ターンテーブルの円板に傾斜をもたせ、その円板上に商品展示台を複数個設置し、尚且つ設置した商品展示台が円板軌道上のどの位置に於いても水平に保たれるよう作動させる為に、モータ−からの動力を固定歯車から中間歯車を介し誘導歯車に伝え、この誘導歯車の同軸上に商品展示台を固定した、この機構により実現した前後、左右、上下の３Ｄ動作を特徴とするターンテーブル。
【考案の詳細な説明】
【技術分野】
【０００１】
ディスプレイ用ターンテーブルに前後、左右、上下の３Dの動きをもたせたもの。
【背景技術】
【０００２】
今までのディスプレイ用ターンテーブルは平面における円運動によってアイキャッチ効果を狙うものであったが、その動きは意外性に乏しく、尚且つ商品を回転させる為のスペースが必要であった。
【考案の概要】
【考案が解決しようとする課題】
【０００３】
ターンテーブルによる商品ディスプレイのアイキャッチ効果は広く認められているものであるが、より高いアイキャッチ効果を得ると共に省スペース化を可能にする。
【課題を解決するための手段】
【０００４】
平面の円運動をしていた円板を４５度前方へ傾斜させ、その円板上に商品展示台を複数個設置し、尚且つ設置した商品展示台が円板上のどの位置に於いても水平に保たれるよう作動させる為に、モータ−からの動力を固定歯車から中間歯車を介し誘導歯車に伝え、この誘導歯車の同軸上に商品展示台を固定した、この機構により前後、左右、上下の３D動作が実現できるものとなり、アイキャッチ効果を高めると共に省スペース化が可能となった。  
【図面の簡単な説明】
【０００５】
【図１】本図はターンテーブルの縦断面図である。
【図２】本図はターンテーブルの立体図である。
【考案を実施するための形態】
【０００６】
ベースプレート１に固定歯車１０及びモーター３を固定した傾斜ブラケット２を設置する、モーターの回転動力を主軸１１を介し円板４に伝える、そして回転する円板上に固定歯車１０の円周上を回転する中間歯車９を設置し、その回転動力を同円板上に設置した誘導歯車８に伝えることにより、誘導歯車同軸上に固定された傾斜ブロック６及び回転テーブル５は円板４の回転時に於いても常時水平を保持しつつ円板上を回転することになる、この時円板４の回転軌道軸が傾斜ブラケットにより４５度傾斜していることによって回転テーブル上の展示物は前後、左右、上下の３Ｄ動作をするディスプレイターンテーブルとなる。
【符号の説明】
【０００７】
１  ベースプレート
２  傾斜ブラケット
３  モーター
４  円板  
５  回転テーブル
６  傾斜ブロック
７  ロックスペーサー
８  誘導歯車
９  中間歯車
１０  固定歯車
１１  主軸
【図１】
0003155852.tif 000003
【図２】
0003155852.tif 000004
(57)【要約】      （修正有） 【課題】ペットが排出するフンを地面等に落とすことなく回収し、手が汚れないように紙につつむことができるペットのフンキャッチャーを提供する。【解決手段】本体後部にロールペーパー１１を回転自在に収納しており、本体１と蝶番３によって折り畳み可能に連結された回収トレー２が本体前部に設けられており、該回収トレー２の前部にはもどしが向かい合った形状のペーパー摘み板４が設けられており、本体には該回収トレー２が折り畳まれた状態にある際に該ペーパー摘み板４のもどし同士の間の位置にペーパー押し板５、及び該ペーパー押し板５の前方にペーパーカッター６を設ける。【選択図】図１
0003155839.tif 000002
【実用新案登録請求の範囲】
【請求項１】
本体後部にロールペーパー（１１）を回転自在に収納しており、本体（１）と蝶番（３）によって折り畳み可能に連結された回収トレー（２）が本体前部に設けられており、該回収トレー（２）の前部にはもどしが向かい合った形状のペーパー摘み板（４）が設けられており、本体には該回収トレー（２）が折り畳まれた状態にある際に該ペーパー摘み板（４）のもどし同士の間の位置にペーパー押し板（５）、及び該ペーパー押し板（５）の前方にペーパーカッター（６）が設けられていることを特徴とするペットのフン処理機。
【考案の詳細な説明】
【技術分野】
【０００１】
この考案はペットのフンを容易に回収するための器具に関する。
【背景技術】
【０００２】
散歩等においてペットが排出したフンは回収することが必要であるが、
地面等に一旦落ちたフンは回収することが煩わしいものであった。
【先行技術文献】
【特許文献】
【０００３】
【特許文献１】特開２００２−１１２６５８
【特許文献２】特開２００３−１２５６６７
【考案の概要】
【考案が解決しようとする課題】
【０００４】
ペットが排出するフンを地面等に落とすことなく回収し、手が汚れないように紙につつむことができるように、フンが地面に落ちる前に紙の上に受け取り、そのままフンを包み収納することができる。
【課題を解決するための手段】
【０００５】
本体後部にロールペーパーを回転自在に収納しており、本体と蝶番によって折り畳み可能に連結された回収トレーが本体前部に設けられており、該回収トレーの前部にはもどしが向かい合った形状のペーパー摘み板が設けられており、本体には該回収トレーが折り畳まれた状態にある際に該ペーパー摘み板のもどし同士の間の位置にペーパー押し板、及び該ペーパー押し板の前方にペーパーカッターが設けられていることを特徴とする。
【考案の効果】
【０００６】
ペットがフンの排出のそぶりを見せた場合に、ペットが排出するフンを地面等に落とすことなく受け、手が汚れないように紙につつむことができるように、折り畳んだ状態から展開するとペーパーロールのペーパーが本体及び回収トレーに自動的に敷かれている。
【図面の簡単な説明】
【０００７】
【図１】本考案の斜視図である。
【図２】本考案の折り畳んだ状態の斜視図である。
【図３】本考案の使用時１の斜視図である。
【図４】本考案の使用時２の斜視図である。
【図５】本考案の使用時３の斜視図である。
【図６】本考案の使用時４の斜視図である。
【図７】本考案の折り畳んだ（収納）状態の斜視図である。
【符号の説明】
【０００８】
１    本体
２    回収トレー
３    蝶番
４    ペーパー摘み板
５    ペーパー押し板
６    ペーパーカッター
７    ローラー
８    ペーパー支持軸
９    パイプ軸
１０  ペーパー蓋
１１  ペーパーロール
１２  固定ボタン
１３  ストラップ
２１  ペットのフン
【図１】
0003155839.tif 000003
【図２】
0003155839.tif 000004
【図３】
0003155839.tif 000005
【図４】
0003155839.tif 000006
【図５】
0003155839.tif 000007
【図６】
0003155839.tif 000008
【図７】
0003155839.tif 000009
(57)【要約】【課題】指を曲げた時の伸縮性が縫い目によって阻害されたり、縫い目が指の関節部分に当ることによって、伸縮性素材の機能や指の感覚に悪影響を与えることがなく、グリップ時の握力低下やフィット感の悪さを招くことのないスポーツ用手袋を提供する。【課題の解決手段】スポーツ用手袋１は、小指部４、薬指部５、中指部６、人差し指部７、親指部８を備え、小指部４、薬指部５、中指部６における甲側の、小指、薬指、中指の第２指節関節から各指の両側部に沿って中手指節関節に向けて延びる部分に対応して、裁断形成した１枚の伸縮性素材からなる伸縮部４ａ，５ａ，６ａを設ける。【選択図】    図１
0003155823.tif 000002
【実用新案登録請求の範囲】
【請求項１】
手袋の小指部、薬指部、中指部、人差し指部のうち、少なくとも小指、薬指、中指の第２指節関節から中手指節関節に対応する各指部の甲側部分を、裁断形成した１枚の伸縮性素材で構成したことを特徴とするスポーツ用手袋。
【請求項２】
伸縮性素材は、対応する指の第２指節関節部分から指の両側部に沿って中手指節関節に向けて延びるよう設けることを特徴とする請求項１記載のスポーツ用手袋。
【考案の詳細な説明】
【技術分野】
【０００１】
本考案は、ゴルフや野球などのグリップ時の良好なフィット感が求められるスポーツ用の手袋に関する。
【背景技術】
【０００２】
従来のこの種手袋では、伸縮性素材を用いてフィット感の向上を図っているが、特にグリップ時のフィット感に影響を与える部分である、グリップ時に曲がる指の関節に対応する部分に伸縮性素材を用いて、フィット感の向上を図っているのが一般的である（特許文献１）。
【先行技術文献】
【特許文献】
【０００３】
【特許文献１】特開２０００−２７１２６１号公報
【考案の概要】
【考案が解決しようとする課題】
【０００４】
ところが、従来のスポーツ用手袋は、上記特許文献１で開示されたスポーツ用手袋のように、伸縮性素材と指パーツのマチとの縫合部分の縫い目が、指の関節部分の手の甲側に対応して、指に沿って延びているので、指を曲げた時の伸縮性が縫い目によって阻害されたり、手の甲側に位置する縫い目が指の関節部分に当ることになる。このため、伸縮性素材の機能や指の感覚に悪影響を与えてしまい、グリップ時の握力の低下やフィット感の悪さを招くという不都合を有している。本考案は、この不都合を解消した、スポーツ用手袋を提供することを目的とする。
【課題を解決するための手段】
【０００５】
この目的を達成するため、本考案に係るスポーツ用手袋は、小指部、薬指部、中指部、人差し指部のうち、少なくとも、グリップ時に特に機能する指である小指、薬指、中指の、第２指節関節から中手指節関節に対応する各指部の甲側部分を裁断形成した１枚の伸縮性素材で構成し、前記第２指節関節に対応する部分には、手の甲側の指に沿って延びる縫い目が存在しないようにしたものである。
【０００６】
また、伸縮性素材を、対応する指の第２指節関節部分から指の両側部に沿って中手指節関節に向けて延びるよう設けると好適である。
【考案の効果】
【０００７】
本考案に係るスポーツ用手袋によれば、指を曲げた時の伸縮性が縫い目によって阻害されることがなく、また、縫い目が指の関節部分に当ることがないので、伸縮性素材の機能や指の感覚に悪影響を与えることがなく、グリップ時の握力が低下することがないとともに、フィット感が良好になるという効果を奏する。
【図面の簡単な説明】
【０００８】
【図１】本発明をゴルフ用手袋に適用した実施例の手の甲側を示す斜視図。
【図２】同じく掌側を示す斜視図。
【図３】同じく小指部、薬指部、中指部の各甲側のパーツの縫合前状態を示す展開図。
【図４】同じく縫合した小指部、薬指部、中指部の各甲側のパーツと人差し指部のマチの縫合前状態を示す展開図。
【図５】同じく縫合形成した甲側指パーツと本体パーツとの縫合前状態を示す展開図。
【考案を実施するための形態】
【０００９】
以下、本考案の好適な実施形態を添付図面に基づいて説明する。図１及び図２に示すように、ゴルフ用手袋１は、手甲部２と掌部３と、小指部４、薬指部５、中指部６、人差し指部７、親指部８と、装着時には開放し、装着後には裏面側の面ファスナーで固定して手首側を締める装着ベルト９を備えている。そして、前記小指部４、薬指部５、中指部６における甲側の、小指、薬指、中指の第２指節関節から各指の両側部に沿って中手指節関節に向けて延びる部分に対応して、裁断形成した１枚の伸縮性素材からなる伸縮部４ａ，５ａ，６ａを設けている。
【００１０】
続いて、ゴルフ用手袋１のさらなる構成を、製造工程とともに詳細に説明する。図３に示すように、小指部４、薬指部５、中指部６の甲側パーツは、伸縮部４ａ，５ａ，６ａの先端側に、対応する各指の第２指節関節から先端までの部分に対応する指先部４ｂ，５ｂ，６ｂが縫合されてなる。さらに、図４に示すように、前記甲側パーツの伸縮部６ａの基端部に人差し指部７のマチ７ａを縫合して甲側指パーツ１０（図５参照）を形成する。
【００１１】
甲側指パーツ１０の縫合部１０ｃを、図５に示す本体パーツ１１の甲側小指基部１４，甲側薬指基部１５，甲側中指基部１６の周縁部及び甲側人差し指部１７の甲側（甲側中指基部１６側）の側縁部に縫合する。これによって、甲側の指部分が完成し、次いで従来と同様にして、親指パーツ（図示せず）を本体パーツ１１の取り付け孔１８に縫合し、甲側と掌側の対応する各指部の周縁部同士を縫合すると、図１及び図２に示すゴルフ用手袋１となる。なお、図５中、１９は掌側小指部、２０は掌側薬指部、２１は掌側中指部である。
【００１２】
以上のように構成したゴルフ用手袋１は、装着者の小指、薬指、中指、の第２指節関節に対応して伸縮部４ａ，５ａ，６ａが位置するとともに、これら伸縮部４ａ，５ａ，６ａの前記第２指節関節に対応する甲側部分には縫い目がないので、前記各指を曲げた際に関節部分に縫い目が当る違和感を生じることがなく、確実にグリップすることができるものである。
【００１３】
なお、本考案は上述の実施形態に限定されるものではなく、例えば、人差し指の第２指節関節に対応する部分にも及ぶように、伸縮性素材を裁断して１枚の生地からなる伸縮部を形成してもよいものである。また、ゴルフ用手袋以外に、野球用やモータースポーツ用等のグリップが重要視される手袋に適用することができる。
【符号の説明】
【００１４】
１      ゴルフ用手袋
２      手甲部
３      掌部
４      小指部
５      薬指部
６      中指部
７      人差し指部
８      親指部
４ａ，５ａ，６ａ      伸縮部
１０      甲側指パーツ
１１      本体パーツ
１４      甲側小指基部
１５      甲側薬指基部
１６      甲側中指基部
１７      甲側人差し指部
【図１】
0003155823.tif 000003
【図２】
0003155823.tif 000004
【図３】
0003155823.tif 000005
【図４】
0003155823.tif 000006
【図５】
0003155823.tif 000007
(57)【要約】      （修正有）【課題】新型インフルエンザなどの感染症対策に有用な抗ウイルス性防護服を提供する。【解決手段】樹脂フィルム８と、これの両面に接着した不繊布１０，１２とで服地材を構成する。この服地材を裁断且つ接合加工して人体の下半身と上半身を覆う防護服本体２を構成する。防護服本体２を構成する不繊布１０，１２には抗ウイルス剤が含浸又は塗着され、防護服本体２には抗ウイルス性表面１４が形成される。【選択図】図１
0003155825.tif 000002
【実用新案登録請求の範囲】
【請求項１】
樹脂フィルム（８）と、これの両面に接着した不繊布（１０）（１２）とで服地材を構成し、該服地材を裁断接合加工して人体の下半身と上半身を覆う防護服本体（２）を形成し、前記不繊布（１０）（１２）に抗ウイルス剤を含浸又は塗着して前記防護服本体（２）に抗ウイルス性表面（１４）を形成したことを特徴とする抗ウイルス性防護服。
【請求項２】
前記不繊布（１０）（１２）に撥水剤を含浸又は塗着して、前記防護服本体（２）の表面に撥水性を有する抗ウイルス性表面（１４）を形成したことを特徴とする請求項１に記載の抗ウイルス性防護服。
【請求項３】
前記不繊布（１０）（１２）に吸水材を含浸又は塗着して、前記防護服本体（２）の表面に吸水性を有する抗ウイルス性表面（１４）を形成したことを特徴とする請求項１に記載の抗ウイルス性防護服。
【請求項４】
前記防護服本体（２）に人体の頭部を覆うためのフード（２c）を設けたことを特徴とする請求項１に記載の抗ウイルス性防護服。
【請求項５】
前記防護服本体（２）を、上着（２a）とズボン（２b）とからなるセパレート型としたことを特徴とする請求項１に記載の抗ウイルス性防護服。
【請求項６】
前記防護服本体（２）を、上着（２a）とズボン（２b）を一体的に形成したつなぎ型としたことを特徴とする請求項１に記載の抗ウイルス性防護服。
【考案の詳細な説明】
【技術分野】
【０００１】
本考案は、感染症対策用の抗ウイルス性防護服に関する。
【背景技術】
【０００２】
従来、新型インフルエンザや、強毒性鳥インフルエンザなどの感染症対策としては、マスクを使用することが一般的である。
また、繊維用抗ウイルス加工剤が知られている。繊維または繊維製品をこの繊維用抗ウイルス加工剤で処理し、次いでソーピングすることにより、繊維又は繊維製品に優れた抗ウイルス性を付与することができる。
【考案の概要】
【考案が解決しようとする課題】
【０００３】
現在流行しているＨ１Ｎ１新型インフルエンザや、強毒性鳥インフルエンザＨ５Ｎ１から身を守るための感染症対策としては、マスクの着用だけでは不十分である。
本考案は、これらの感染症対策用として有効な抗ウイルス性防護服を提供することを目的とするものである。
【課題を解決するための手段】
【０００４】
上記目的を達成するため、本考案は、樹脂フィルム（８）と、これの両面に接着した不繊布（１０）（１２）とで服地材を構成し、該服地材を裁断接合加工して人体の下半身と上半身を覆う防護服本体（２）を形成し、前記不繊布（１０）（１２）に抗ウイルス剤を含浸又は塗着して前記防護服本体（２）に抗ウイルス性表面（１４）を形成したものである。
また本考案は、前記不繊布（１０）（１２）に撥水剤を含浸又は塗着して、前記防護服本体（２）の表面に撥水性を有する抗ウイルス性表面（１４）を形成したものである。
また本考案は、前記不繊布（１０）（１２）に吸水材を含浸又は塗着して、前記防護服本体（２）の表面に吸水性を有する抗ウイルス性表面（１４）を形成したものである。
また本考案は、前記防護服本体（２）に人体の頭部を覆うためのフード（２c）を設けたものである。
また本考案は、前記防護服本体（２）を、上着（２a）とズボン（２b）とからなるセパレート型としたものである。
また本考案は、前記防護服本体（２）を、上着（２a）とズボン（２b）を一体的に形成したつなぎ型としたものである。
【考案の効果】
【０００５】
本考案は、人体の略全身を抗ウイルス性の防護服本体で覆うことができるので、インフルエンザウイルスから人体を効果的に防護することができる。
【図面の簡単な説明】
【０００６】
【図１】本考案の一部拡大断面説明図である。
【図２】本考案に係る防護服の全体外観図である。
【考案を実施するための形態】
【０００７】
以下に本考案の構成を添付した図面を参照して詳細に説明する。
本考案に係わる抗ウイルス防護服の本体（２）は、図２に示すように、上着（２ａ)とズボン（２ｂ）から構成され、上着（２ａ）にはフード（２ｃ）が設けられている。上着（２ａ）の両袖口（４）（６）は、ゴム紐などの紐により適宜絞られており、両袖口が上着（２ａ）を着た人の手首に密着するようになっている。
【０００８】
又、ズボン（２ｂ）の両裾（１６）（１８）も同様に、ゴム紐などの紐により適宜絞られており、両裾（１６）（１８）がズボン（２ｂ）を履いた人の足首に密着するようになっている。上着（２ａ)とズボン（２ｂ）は、これを装着したとき、人体の略全体を覆うものであれば良く、外出用あるいは室内用の普段着として用いられる一般的な衣服形状であれば良く、特に図２に示す形状に限定されるものではない。
【０００９】
防護服本体（２）を構成する素材は、図１に示すように、ポリエチレンやポリプロピレンなどの樹脂フィルム（８）とその両面に接する不繊布（１０）（１２）とから成り、不繊布（１０）（１２）は、樹脂フィルム（８）の両面に熱接着されている。
【００１０】
本体２の不繊布（１０）（１２）には、新型インフルエンザや強毒性鳥インフルエンザ用の抗ウイルス剤と吸水材と撥水剤とが、適正な濃度で混合された処理剤が、含浸処理あるいは、コーティング処理あるいは、スプレイ塗布処理等により、含浸又は塗着されている。
【００１１】
本体（２）の表面には、前記処理剤の含浸・塗着処理により、撥水性、吸水性を有する抗ウイルス性表面（１４）を形成している。
【００１２】
本実施形態では、防護服本体（２）を、人体の下半身を覆うズボン（２ｂ）と、上半身を覆う上着（２ａ）とから成るセパレートタイプの構成としたが、セパレート型に特に限定されるものではなく、上着（２a）とズボン（２b）を一体的に接合形成したつなぎタイプの構成としても良い。
【符号の説明】
【００１３】
２      本体
２a    上着
２b    ズボン
２c    フード
４      袖口
６      袖口
８      樹脂フィルム
１０    不繊布
１２    不繊布
１４    抗ウイルス性表面
１６    裾
１８    裾
【図１】
0003155825.tif 000003
【図２】
0003155825.tif 000004
(57)【要約】【課題】グリップ時の良好なフィット感を維持しつつ、ホールド感も向上するスポーツ用手袋を提供する。【課題の解決手段】スポーツ用手袋１は、手甲部２の少なくとも一部を第１の伸縮性素材で形成し、この第１の伸縮性素材の一部を被覆するようにメッシュ材からなる第２の伸縮性素材１０を配置し、この第２の伸縮性素材１０は両端側において第１の伸縮性素材の外側、少なくとも一端側は掌側に縫着して、第１の伸縮性素材に対して互いにフリー状態とし、第１の伸縮性素材の伸縮率は第２の伸縮性素材の伸縮率よりも大きいものである。【選択図】    図１
0003155824.tif 000002
【実用新案登録請求の範囲】
【請求項１】
手袋の手甲部の少なくとも一部を第１の伸縮性素材で形成し、この第１の伸縮性素材の少なくとも一部を被覆するように第２の伸縮性素材を配置し、この第２の伸縮性素材は両端側において前記第１の伸縮性素材の外側と縫着して第１の伸縮性素材に対して互いにフリー状態とし、第１の伸縮性素材の伸縮率は第２の伸縮性素材の伸縮率よりも大きいことを特徴とするスポーツ用手袋。
【請求項２】
第２の伸縮性素材は、少なくとも一端側を掌部側に縫着したことを特徴とする請求項１記載のスポーツ用他袋。
【請求項３】
第２の伸縮性素材は、メッシュ材であることを特徴とする請求項１または請求項２記載のスポーツ用手袋。
【考案の詳細な説明】
【技術分野】
【０００１】
本考案は、ゴルフや野球などのグリップ時の良好なフィット感が求められるスポーツ用の手袋に関する。
【背景技術】
【０００２】
従来のこの種手袋では、伸縮性素材を用いてフィット感の向上を図っているが、特にグリップ時に手の動きの自由度を上げるために、手甲側に伸縮性素材を用いている。前記自由度を上げるためには、伸縮性素材の伸縮率は大きいことが望まれるが、伸縮率が大きいと縦横に伸びすぎて、グリップ時のホールド性が劣ってしまう。この欠点を解消するものとして、伸縮性素材の一部に重なるように過伸張防止部材を設けることが提案されている（特許文献１）。
【先行技術文献】
【特許文献】
【０００３】
【特許文献１】特開２０００−２７１２６１号公報
【考案の概要】
【考案が解決しようとする課題】
【０００４】
ところが、上記提案のスポーツ用手袋は、過伸張防止部材を手甲部に伸縮性素材部分にも及ぶように縫着しているので、伸縮性素材における前記過伸張防止部材を縫着した部分と他の部分とのフィット感が異なり、グリップ時に違和感を生じてしまうという不都合を有している。本考案は、この不都合を解消した、スポーツ用手袋を提供することを目的とする。
【課題を解決するための手段】
【０００５】
この目的を達成するため、本考案に係るスポーツ用手袋は、手袋の手甲部の少なくとも一部を第１の伸縮性素材で形成し、この第１の伸縮性素材の少なくとも一部を被覆するように第２の伸縮性素材を配置し、この第２の伸縮性素材は両端側において前記第１の伸縮性素材の外側と縫着して第１の伸縮性素材に対して浮いた状態とし、第１の伸縮性素材の伸縮率は第２の伸縮性素材の伸縮率よりも大きいものである。
【０００６】
また、第２の伸縮性素材は、少なくとも一端側を掌部側に縫着すると好適である。さらに、前記第２の伸縮性素材は、メッシュ材であると好適である。
【考案の効果】
【０００７】
本考案に係るスポーツ用手袋によれば、第１の伸縮性素材の伸びすぎをこれより伸縮率が小さい第２の伸縮性素材で抑制できるとともに、第２の伸縮性素材は両端側において第１の伸縮性素材の外側に縫着することによって、第２の伸縮性素材を設けた部分の違和感を解消し、グリップ時の良好なフィット感を維持しつつ、ホールド感も向上するという効果を奏する。また、前記第２の伸縮性素材の少なくとも一端側を、掌部側に縫着すると、グリップ時のフィット感及びホールトド感をより一層向上させるという効果を奏する。さらに、前記第２の伸縮性素材をメッシュ材で構成すると、通気性が向上して蒸れ難くなるという効果を奏する。
【図面の簡単な説明】
【０００８】
【図１】本発明をゴルフ用手袋に適用した実施例の手の甲側を示す斜視図。
【図２】同じく掌側を示す斜視図。
【考案を実施するための形態】
【０００９】
以下、本考案の好適な実施形態を添付図面に基づいて説明する。図１及び図２に示すように、ゴルフ用手袋１は、手甲部２、掌部３、小指部４、薬指部５、中指部６、人差し指部７、親指部８と、装着時には開放し、装着後には裏面側の面ファスナーで甲側に固定して手首側を締める装着ベルト９を備えている。そして、前記小指部４、薬指部５、中指部６の基部から手甲部２全体に及ぶ部分を第１の伸縮性素材で形成している。
【００１０】
図１に示すように、第１の伸縮性素材からなる手甲部２の上端部を除いたほぼ全体を被覆するように第２の伸縮性素材であるメッシュ材１０を配置し、このメッシュ材１０は、小指部４側の側端は、図２に示すように、掌部３側縁と縫着し、親指部７側の側端は、二股状に分かれて、上部側は人差し指部７の基端に縫着する一方、下部側は、図では明らかではないが、掌部３側の親指部８の基端に縫着している。前記手甲部２の伸縮率は前記メッシュ素材１０の伸縮率よりも大きいものである。そして、前記メッシュ材１０の他の縁部は非縫着状態となっているので、前記メッシュ材１０は手甲部２から浮いた状態となって、第１の伸縮性素材に対してフリー状態にある。
【００１１】
以上のように構成したゴルフ用手袋１は、グリップ時に、痔１の伸縮性素材における手甲部２の縦方向への伸びは許容しつつ、横方向への伸びは、相対的に伸縮率の小さいメッシュ材１０で抑制して、フィット感を損なうことなく、ホールド感を高めることができる。また、メッシュ材１０は手甲部２から浮いた状態にあるとともに、メッシュであるから、手甲部２側の通気性を高め、蒸れ難くすることができる。
【００１２】
なお、本考案は上述の実施形態に限定されるものではなく、例えば、第２の伸縮性素材はメッシュ材１０に限らず、一般的なニット材などでもよい。また、第１の伸縮性素材は、各指部４，５，６，７，８の甲側全体と手甲部２の全体、すなわち手袋１の甲側全体に及ぶよう設けることもできるし、手甲部２の一部にのみ設けることもできる。この手甲部２の一部にのみ第１の伸縮性素材を設けた場合には、第２の伸縮性素材は第１の伸縮性素材の全部を覆うように設けてもよい。さらに、ゴルフ用手袋以外に、野球用やモータースポーツ用等のグリップが重要視される手袋に適用することができる。
【符号の説明】
【００１３】
１      ゴルフ用手袋
２      手甲部
３      掌部
４      小指部
５      薬指部
６      中指部
７      人差し指部
８      親指部
１０      メッシュ素材
【図１】
0003155824.tif 000003
【図２】
0003155824.tif 000004
(57)【要約】      （修正有）【課題】背裏とスラックスの腰裏にマグネットが簡単に取り外しできる上着及びスラックスを提供する。【解決手段】マグネットに面ファスナーを取り付け背裏とスラックスの腰裏にマジックテープが張りつく構造にした取り外し出来ることよりサイズの大小に関係なく好きなところに簡単に付けられる。【選択図】図１
0003155890.tif 000002
【実用新案登録請求の範囲】
【請求項１】
上着の背裏、スラックスの腰裏にマグネットが簡単に着脱できる仕様。
【考案の詳細な説明】
【技術分野】
【０００１】この考案は、上着の背裏とスラックスの腰裏にマグネットを簡単に付けられまた簡単に外せるようにした仕様。
【背景技術】
【０００２】マグネットの裏側にマジックテープを取り付け、上着の背裏とスラックスの腰裏にマジックテープが張りつく構造にした素材で作られ簡単に着脱できる仕様
【考案が解決しようとする課題】
【０００３】今までのマグネット付き腰裏はマグネットが縫い付けられており好きな位置に取り付けることが出来ませんでした又今まで背裏に取り付け取り外しできるものはありませんでした。
【考案の結果】
【０００４】取り外し出来ることよりサイズの大小に関係なく好きなところに簡単に付けられます。
【図面の簡単な説明】
【０００５】
【図１】考案の背裏
【図２】考案の腰裏
【図３】マグネットとマグネットの裏側
【符号の説明】
【０００６】１０  背裏
１１  腰裏
１２  マグネット
１３  マジックテープ
【図１】
0003155890.tif 000003
【図２】
0003155890.tif 000004
【図３】
0003155890.tif 000005
【手続補正書】
【提出日】平成21年7月6日(2009.7.6)
【手続補正１】
【補正対象書類名】実用新案登録請求の範囲
【補正対象項目名】全文
【補正方法】変更
【補正の内容】
【実用新案登録請求の範囲】
【請求項１】
マグネットが簡単に着脱できる構造からなる上着及びスラックス
【手続補正２】
【補正対象書類名】明細書
【補正対象項目名】０００２
【補正方法】変更
【補正の内容】
【０００２】マグネットの裏側に面ファスナーテープを取り付け、上着の背裏とスラックスの腰裏に面ファスナーテープが張りつく構造にした素材で作られ簡単に着脱できる仕様
【手続補正３】
【補正対象書類名】明細書
【補正対象項目名】０００６
【補正方法】変更
【補正の内容】
【０００６】１０  背裏
１１  腰裏
１２  マグネット
１３  面ファスナーテープ
【手続補正書】
【提出日】平成21年9月11日(2009.9.11)
【手続補正１】
【補正対象書類名】実用新案登録請求の範囲
【補正対象項目名】全文
【補正方法】変更
【補正の内容】
【実用新案登録請求の範囲】
【請求項１】
上着の背裏とスラックスの腰裏にマグネットを簡単に付けられまた簡単に外せるようにマグネット側と背裏、腰裏側に面ファスナーを取り付けた構造からなる上着及びスラックス
(57)【要約】      （修正有）【課題】ゴルフ場などで使用される埋設式潅水機の中には、グリーンまでの距離表示を直接加工した蓋体を備えたものもあるが、破損や表示変更のたびに鋳造しなければならないので、表示を取り外し可能なものを提供する。【解決手段】蓋体表面に溝１を設け、グリーンまでの距離表示を別途取り付ける様にし、また上下にそのスペースを加工、メイングリーンとサブグリーンの区分けにも対応する。【選択図】図１
0003155885.tif 000002
【実用新案登録請求の範囲】
【請求項１】
表面に溝１が設けられており、その溝１に一体化できる形の表示板を別途はめ込むことができる埋設型潅水機の蓋体であって、中心部に該蓋を潅水機に設置する部品受けである孔２を設けてあり、その周辺に表示板設置溝１が設定されていることを特徴とする蓋体である。
【請求項２】
該蓋に表示板を設置する溝１は複数設けられており、溝１と同数の表示板には文字あるいは装飾がほどこされている。
【請求項３】
ゴルフ場に埋設される潅水機の上部５に設置される蓋体であり、設置場所はゴルフ場の潅水機設置場所による。
【考案の詳細な説明】
【技術分野】
【０００１】  この考案はゴルフ場に設置される埋設型潅水機における、蓋の形状と該蓋体に取りつける装飾板に関する。
【背景技術】
【０００２】  埋設型潅水機は、未使用時に潅水機本体を隠す蓋を装着している。従来存在した蓋体の内、ゴルフ場に設置される蓋体表面にグリーンまでの距離表示を加工したものはあった。ただし蓋体表面に直接文字が加工されていることにより、文字の変更、交換の点で劣っている。
【先行技術文献】
【実用新案文献】
【０００３】  実公平０７−０３７６５３号公報
【考案の概要】
【考案が解決しようという課題】
【０００４】  以上の技術によれば、蓋体設置後にグリーンまでの距離表示の変更を行うことは困難である。また、交換の際、同一の文字・装飾加工を施した蓋体を鋳造しなければならず、商品単価が高くなり、製作に時間を要すことで迅速な交換を不可能とする。
【課題を解決するための手段】
【０００５】  以上の課題を解決するために、本考案では、蓋の表面に溝１を設け、文字を加工した板１０を別途はめ込むことで、設置後の変更に対応する。
【考案の効果】
【０００６】  本考案によれば、グリーンまでの距離表示板１０を別途取り付けにすることで、大量一括生産を可能にし、商品単価を引き下げることができる。また、蓋総てを鋳造する必要がないことで、破損による交換にも迅速な対応が見込まれる。
【考案を実施するための実施形態】
【０００７】
【０００７】  グリーンまでの距離表示を行う場合、メイングリーンとサブグリーンの表示を分けることがある。本考案においては、本体上下に溝１を加工、メイングリーンとサブグリーンの表示板１０を分けて設置する。
【実施形態の効果】
【０００８】  蓋表面の文字・装飾を取り外しできるため設置場所の変更、グリーンまでの距離の変更に対応するほか、例えばゴルフ場のロゴ等その施設における広告スペースを提供することができる。
【実施例】
【０００９】  以下、図に基づいて説明する。図４はゴルフ場コースに埋設される、埋設型潅水機を設置した際の断面図である。
設置については原則、埋設型潅水機の上部ジョイント部５に装着するため、距離表示板１０もそれに合わせた数字のもの、あるいは装飾のものを使用する。【００１０】  蓋体の大きさは埋設型潅水機の設置穴の大きさに合わせる。なお側面９に傾斜を設けることで蓋体がグラウンドに埋没してしまうことを防ぐ。【００１１】  メイングリーンとサブグリーンの表示分けをする場合、表示板１０を設置する本体の溝１は複数個あり、その数に合わせた表示板１０が必要となる。【００１２】  溝１の内一方が不要の場合も、ゴルフ場のロゴや、その施設における情報スペースとして活用することができる。【００１３】  表示板１０は必要に応じ切断し、文字数と模様に対応させる。
【図面の簡単な説明】
【００１４】
【図１】本考案における本体表面図
【図２】本考案の断面図
【図３】本考案における、表示板をつけた場合の表面図
【図４】実際に設置した場合の断面図
【符号の説明】
【００１５】１：表示板取り付け溝
２：蓋体取り付け穴
３：潅水ノズルがポップアップした状態
４：潅水ノズルがダウンしている状態
５：蓋体取り付け具
６：潅水ノズル
７：表示板取り付け溝
８：蓋体取り付け穴
９：蓋体側面
１０：表示板を取り付けた場合の溝
１１：蓋体取り付け穴
【図１】
0003155885.tif 000003
【図２】
0003155885.tif 000004
【図３】
0003155885.tif 000005
【図４】
0003155885.tif 000006
【手続補正書】
【提出日】平成21年6月18日(2009.6.18)
【手続補正１】
【補正対象書類名】実用新案登録請求の範囲
【補正対象項目名】全文
【補正方法】変更
【補正の内容】
【実用新案登録請求の範囲】
【請求項１】
表面に表示板設置溝１が設けられており、その表示板設置溝１に一体化できる形の表示板を別途はめ込むことができる埋設型潅水機の蓋体であって、中心部に該蓋体を潅水機に設置する部品受けである孔２を設けてあり、その周辺に表示板設置溝１が設定されていることを特徴とする蓋体。
【請求項２】
該表示板設置溝２は複数設けられており、表示板設置溝１と同数の表示板には文字あるいは装飾がほどこされていることを特徴とする請求項１に記載の蓋体。
【請求項３】
ゴルフ場に埋設される潅水機の上部５に設置される蓋体であり、設置場所はゴルフ場の潅水機設置場所によることを特徴とする請求項１に記載の蓋体。
【手続補正書】
【提出日】平成21年9月7日(2009.9.7)
【手続補正１】
【補正対象書類名】実用新案登録請求の範囲
【補正対象項目名】請求項２
【補正方法】変更
【補正の内容】
【請求項２】
該表示板設置溝１は複数設けられており、表示板設置溝１と同数の表示板には文字あるいは装飾がほどこされていることを特徴とする請求項１に記載の蓋体。
(57)【要約】      （修正有）【課題】高さを変えることができ、適切な高さを確保することができる幼児用補高エアークッションを提供する。【解決手段】幼児用補高エアークッションにおいて、形状と寸法が同じエアークッションが２個上下に重なっており、その一側面の交わった一辺がつながっていて、つながっている一側面に椅子等に固定する際に使用するベルトを通すベルト通しが設けられ、上下２個のクッションの接合面には面の一部に上下のクッションを固定する為の面ファスナーが設けられている。【選択図】図１
0003155883.tif 000002
【実用新案登録請求の範囲】
【請求項１】
それぞれ独立した空気を取り入れる事のできる２層の一側面に椅子等に固定する際に必要なベルトを通す為のベルト通しが設けられており、又、１側面はつながっているその２層の接合面は面の一部をマジックテープで接合しており、その接合部を離して一枚のシートとして利用できる。
【考案の詳細な説明】
【技術分野】
【０００１】本考案は椅子で使用する補高クッションに関する
【背景技術】
【０００２】従来のエアークッションでは高さが変えられず、又、椅子に固定する事ができなかった。
【考案の開示】
【考案が解決しようとする課題】
【０００３】しかし、これでは子供によっては高さが適切でない場合があり、又、固定していない為、安全性、安定性が確保できない。
【課題を解決する為の手段】
【０００４】そこで、２層のクッションの片方に空気を入れふくらませ使用する場合と空気を入れず１層として使用する事によって高さが変えられ適切な高さを確保する事ができる。
【考案の効果】
【０００５】本考案のエアークッションにより、外出時に折りたたむ事によって持ち運びが簡単になり子供用の椅子の備え付けのない所でも適切に近い高さが確保する事ができる。又、補高クッションとして使用しない場合は接合部を広げて１枚のクッションとして利用できる。
【考案を実施するための最良の形態】
【０００６】  本考案に係る幼児用補高エアークッション１０は図１で示すようにイス等に固定する為のベルト通し１かつ図２に示すように２層の接合面の一部にマジックテープ２、空気注入出口３が備えられている。
このベルト通し１に図４のベルト４を通す事により図３の椅子２０の背もたれ部に固定する事ができる。
図４のベルト４は椅子２０の背もたれの幅によって長さを調整すればよい。
素材はビニール製で形成することが望ましい。
【図面の簡単な説明】
【０００７】
【図１】本考案の幼児用エアークッションの全体図
【図２】本考案の幼児用エアークッションの展開図
【図３】本考案の幼児用エアークッションを椅子に使用した際の背面図
【図４】本考案の幼児用エアークッションを椅子に固定する際に要するベルト
【符号の説明】
【０００８】  １      ベルト通し
２      マジックテープ
３      空気注入出口
４      ベルト
１０      エアークッション
２０      椅子
【図１】
0003155883.tif 000003
【図２】
0003155883.tif 000004
【図３】
0003155883.tif 000005
【図４】
0003155883.tif 000006
【手続補正書】
【提出日】平成20年11月18日(2008.11.18)
【手続補正１】
【補正対象書類名】実用新案登録請求の範囲
【補正対象項目名】請求項１
【補正方法】変更
【補正の内容】
【請求項１】
それぞれ独立した空気を取り入れる事のできる２層の一側面に椅子等に固定する際に必要なベルトを通す為のベルト通しが設けられており、又、１側面はつながっている。その２層の接合面は面の一部を面ファスナーで接合しており、その接合部を離して一枚のシートとして利用できる幼児用補高エアークッション。
【手続補正２】
【補正対象書類名】明細書
【補正対象項目名】０００６
【補正方法】変更
【補正の内容】
【０００６】  本考案に係る幼児用補高エアークッション１０は図１で示すようにイス等に固定する為のベルト通し１かつ図２に示すように２層の接合面の一部に面ファスナー２、空気注入出口３が備えられている。
このベルト通し１に図４のベルト４を通す事により図３の椅子２０の背もたれ部に固定する事ができる。
図４のベルト４は椅子２０の背もたれの幅によって長さを調整すればよい。
素材はビニール製で形成することが望ましい。
【手続補正３】
【補正対象書類名】明細書
【補正対象項目名】０００８
【補正方法】変更
【補正の内容】
【０００８】  １  ベルト通し
２  面ファスナー
３  空気注入出口
４  ベルト
１０  エアークション
２０  椅子
【手続補正書】
【提出日】平成21年1月30日(2009.1.30)
【手続補正１】
【補正対象書類名】実用新案登録請求の範囲
【補正対象項目名】全文
【補正方法】変更
【補正の内容】
【実用新案登録請求の範囲】
【請求項１】
「幼児用補高エアークションにおいて、
（１）形状と寸法が同じエアークッションが２個上下に重なっており、その１側面の交わった１辺がつながっている
（２）つながっている１側面に椅子等に固定する際に使用するベルトを通すベルト通しが設けられている
（３）上下２個のクッションの接合面には面の一部に上下２個のクッションを固定する為の面ファスナーが設けられている
以上の（１）〜（３）の構成からなる幼児用補高エアークッション。
(57)【要約】      （修正有）【課題】吸気せずに、効率よく洗浄でき、殺菌効果も得られるマイクロバルブ発生装置を提供する。【解決手段】各種ホースや配管などに円筒状のパイプを取り付け、その円筒状のパイプ入り口部分にプロペラ状の旋回装置を取り付けて、その部分で気液混合水を旋回させ、その次に逆メガホン型のエリアを作成し、その部分で気液混合水を圧縮し、最後にメガホン型のエリアを作成し、その部分で気液混合水を拡散させる事によって、マイクロバブルを発生させる。【選択図】図１
0003155884.tif 000002
【実用新案登録請求の範囲】
【請求項１】
各種ホースやパイプや配管などに装置を取り付け、気液混合水（水道水など）を蛇口等から出る水圧を利用し、装置自体に電気などの動力を一切しないでマイクロバブルを発生させる装置。
【考案の詳細な説明】
【技術分野】
【０００１】  本考案は、各種ホースやパイプや配管に接続できるマイクロバブル発生装置である。
【背景技術】
【０００２】  気液混合水（水道水など）を利用して洗浄する際に吸気しないで、効率よく洗剤などの量を減らして洗浄も出来、殺菌効果も手軽に得れるものがなかった。
【考案の概要】
【考案が解決しようとする課題】
【０００３】  マイクロバブルを利用する事により上述の問題を解決したいのだが、通常マイクロバブルを発生させるには、大がかりな装置や動力が必要となり、また高額な為、手軽に使えるものではなかった。なので、一般家庭に普及するには無理があったが、一般家庭でも利用できるシンプルかつコンパクトな装置を利用する事により解決しようとするものである。
【課題を解決するための手段】
【０００４】  本考案は、各種ホースやパイプや配管などに装置を取り付け、気液混合水（水道水など）を蛇口等から出る水圧を利用し、装置自体に電気などの動力を一切しないので環境にも優しい上に、コンパクトに収まるので、設置場所をほとんど選ばなくてよい為、一般家庭への普及しやすい環境が整うので、問題点を解決している。
【考案の効果】
【０００５】  上述の様に、本考案のマイクロバブル発生装置は、各種ホースやパイプや配管などに装置を取り付ける事ができて、汎用性があり、色々な場所での利用が可能である。マイクロバブルを洗浄に利用する機会が増える為、洗浄剤の使用量軽減により、環境問題までも改善させる事が期待できる。
【考案を実施するための最良の形態】
【０００６】  各種ホースやパイプや配管などに装置を取り付け、気液混合水（水道水など）を流す事により、その水を利用して洗浄する部分すべてで効果が得られる。
【実施例】
【０００７】  シャワーホースに取り付け、普通にシャワーを利用します。その水の中にはマイクロバブルが含まれている為、洗浄力が高く、洗浄剤を減らして利用しても、洗浄効果が得られる。
洗濯機の給水ホースに取り付け、洗濯する事により、洗浄力アップとすすぎ力もアップする。
ウォシュレット（タンク式）のホースに取り付ける事により、洗浄力がアップする。
【産業上の利用可能性】
【０００８】  気液混合水（水道水など）を利用して洗浄している、すべての業界。
【図面の簡単な説明】
【０００９】
【図１】本考案装置の断面図である。
【符号の説明】
【００１０】１  給水部分
２  気液混合水の旋回部分
３  気液混合水の圧縮部分
４  気液混合水の拡散部分
５  排水部分
【図１】
0003155884.tif 000003
【手続補正書】
【提出日】平成21年6月1日(2009.6.1)
【手続補正１】
【補正対象書類名】実用新案登録請求の範囲
【補正対象項目名】全文
【補正方法】変更
【補正の内容】
【実用新案登録請求の範囲】
【請求項１】
各種ホースや配管や配管などに円筒状のパイプを取り付け、その円筒状のパイプ入り口部分にプロペラ状の旋回装置を取り付けて、その部分で気液混合水を旋回させ、その次に逆メガホン型のエリアを作成し、その部分で気液混合水収縮し、最後にメガホン型のエリアを作成し、その部分で気液混合水拡散させる事によって、マイクロバブルを発生させる事を特徴とするマイクロバブル発生装置
【手続補正２】
【補正対象書類名】明細書
【補正対象項目名】０００７
【補正方法】変更
【補正の内容】
【０００７】  シャワーホースに取り付けて、普通にシャワーを利用します。その水の中にはマイクロバブルが含まれている為、洗浄力が高く、洗浄剤を減らして利用しても、洗浄効果が得らられる。  洗濯機の給水ホースに取り付け、洗濯する事により、洗浄力アップとすすぎ力もアップする。  「ウォシュレット（登録商標）」のホースや配管に取り付ける事により、洗浄力がアップする。
【手続補正書】
【提出日】平成21年9月2日(2009.9.2)
【手続補正１】
【補正対象書類名】実用新案登録請求の範囲
【補正対象項目名】全文
【補正方法】変更
【補正の内容】
【実用新案登録請求の範囲】
【請求項１】
各種ホースや配管などに円筒状のパイプを取り付け、その円筒状のパイプ入り口部分にプロペラ状の旋回装置を取り付けて、その部分で気液混合水を旋回させ、その次に逆メガホン型のエリアを作成し、その部分で気液混合水を収縮し、最後にメガホン型のエリアを作成し、その部分で気液混合水を拡散させる事によって、マイクロバブルを発生させる事を特徴とするマイクロバブル発生装置
(57)【要約】      （修正有）【課題】安価に容易に設置でき、半恒久的に使用できるイノシシの捕獲装置を提供する。【解決手段】支柱で支えられた架台の上に、イノシシの足が地上に届かない程度の高さに浮かせて金網を掛ける。金網の下には、カムフラージュ用寒冷紗を取り付ける。【選択図】図３
0003155305.tif 000002
【実用新案登録請求の範囲】
【請求項１】
１、支柱で支えられた水平方向の架台  ２、その上にイノシシの足が地上に届かない程度の高さに浮かせて掛けた金網で、金網の下に重ねたカムフラージュ用寒冷紗で構成されたイノシシ捕獲装置。
【考案の詳細な説明】
【技術分野】
【０００１】
本考案は、イノシシの捕獲装置に関するもである。
【背景技術】
【０００２】
イノシシの捕獲装置として、捕獲柵があるが設置に多くの人手を要し、餌で誘い込む難しさもあつた。  
【０００３】
この改善策として設置が容易な、高さ６０センチメイトル程度の架台に、８番線程度の太さの金網で網目は１５センチメイトル程度のものを掛ける。金網のしたには金網に沿ってカムフラージュ用の寒冷紗を取り付ける。この装置をイノシシの侵入防護柵と併用すれば防護と捕獲を兼ねることができる。
【先行技術文献】
【特許文献】
【０００４】
【特許文献１】実用新案登録３０９０３２７号
【考案の概要】
【考案が解決しようとする課題】
【０００５】
解決しようとしている問題点はイノシシの頭数の増加が早く、山間部の基盤の弱い農山村に大きな打撃を与えており、山から畠まで土を掘り返す。また法面も同様で豪雨時の土砂流出を増大させている。
最近は山里に定住するイノシシが増加している現状である。そこでイノシシの絶対数を減らすことが問題の解決手段と考える。現在使われている捕獲用カゴは餌で誘い込む仕掛けも、イノシシが学習能力を持つため重い仕掛けを設置して何回もあしを運んで、いざ捕獲できる状態になると入らないものもでてきた。
そこで恒久的な金網等で農場を囲ってしまうとか、電気柵で囲うには経済的な負担が大きい。
【課題を解決するための手段】
【０００６】
本考案は捕獲するという積極的な側面と防護的な側面を兼ね備える金網の設置で、イノシシの被害を少なくする。恒久的な防護柵とか電柵と組み合わせて設置すれば一方的な防御から一歩前進する。また沢とか谷に金網を張りめぐらせば地域ぐるみ防護できる。
【考案の効果】
【０００７】
本項案の金網使用による捕獲および防護は設置が容易で半恒久的であり、安価に設置でき餌を与えず捕獲できる利点がある。
【図面の簡単な説明】
【０００８】
【図１】捕獲装置と組み合わせて設置した側面図。
【図２】平坦地に設置した平面図。
【図３】図２のＡ−Ａ´断面図。
【図４】斜面に仕掛けた金網の断面図。
【考案を実施するための形態】
【０００９】
電柵、恒久的な金網柵に開放部をつくり設置する。イノシシの通路に仕掛ける。谷とか沢に沿って金網を張りめぐらし、その間の地域を遮断する。
【実施例１】
【００１０】
図1は本考案装置と防護柵を併用した例である。
【実施例２】
【００１１】
図４は本考案装置として、谷とか沢に設置してその地域の防護に役立てるものである。
【産業上の利用可能性】
【００１２】
山林のイノシシの通路など広い範囲に、仕掛けて捕獲を行い、里山にイノシシがでないようにして、農林業の負荷を減らすことができる。
【符号の説明】
【００１３】
１  金網
２  寒冷紗
３  架台または鋼索
４  支柱
５  恒久的防護柵
【図１】
0003155305.tif 000003
【図２】
0003155305.tif 000004
【図３】
0003155305.tif 000005
【図４】
0003155305.tif 000006